【手続補正書】
【提出日】平成23年2月1日(2011.2.1)
【手続補正１】
【補正対象書類名】特許請求の範囲
【補正対象項目名】全文
【補正方法】変更
【補正の内容】
【特許請求の範囲】
【請求項１】
ブザー付きのプリンタの制御方法であって、
前記プリンタに所定の印刷をするための印刷制御コマンドと、
前記ブザーの鳴動を設定するためのブザー設定コマンドを受信し、
前記印刷制御コマンドに、前記ブザー設定コマンドで指定された所定のコマンドまたは所定の印刷データがある場合には、当該所定のコマンドの実行または当該所定の印刷データの印刷の実行をトリガとして、前記ブザーを所定のタイミング及び態様で鳴動させることを特徴とするプリンタの制御方法。
【請求項２】
請求項１に記載のプリンタの制御方法であって、
前記印刷制御コマンドの前に前記ブザー設定コマンドを配置したコマンド群を含む一連の印刷指令を受信し、
前記印刷制御コマンドに先行して受信した前記コマンド群に前記ブザー設定コマンドが含まれているか否かを判別し、前記ブザー設定コマンドが含まれている場合には、当該ブザー設定コマンドによって指定された前記所定のコマンドを含む設定を記憶保持し、
前記印刷指令に含まれている前記所定のコマンドを検出すると、当該所定のコマンドに基づく処理を実行すると共に、前記ブザー設定コマンドの設定に基づいて前記ブザーを鳴動させることを特徴とするプリンタの制御方法。
【請求項３】
請求項２に記載のプリンタの制御方法であって、
前記印刷指令は、改ページ時の処理を指定する改ページコマンド、および／または、印刷処理の終了後に実行する処理を指定する印刷終了コマンドを含み、
前記ブザー設定コマンドにおいて、前記改ページコマンド、および／または、前記印刷終了コマンドを前記所定のコマンドとして設定することを特徴とするプリンタの制御方法。
【請求項４】
請求項３に記載のプリンタの制御方法であって、
前記印刷指令は、複数の改ページコマンドを含み、
前記ブザー設定コマンドにおいて、前記複数の改ページコマンドのうち、一部の改ページコマンドのみを前記所定のコマンドとして設定することを特徴とするプリンタの制御方法。
【請求項５】
請求項１ないし４のいずれかの項に記載のプリンタの制御方法であって、
前記ブザー設定コマンドにより、前記ブザーの鳴動パターン、音量、周波数のうち少なくとも１つを指定することを特徴とするプリンタの制御方法。
【請求項６】
ホスト装置から、ブザー付きのプリンタに対して、前記プリンタに所定の印刷をするための印刷制御コマンドを送信すると共に、当該印刷制御コマンドに先行して、前記ブザーの鳴動を設定するためのブザー設定コマンドを送信し、
前記プリンタは、前記印刷制御コマンドに、前記ブザー設定コマンドで指定された所定のコマンドまたは所定の印刷データがある場合には、当該所定のコマンドの実行または当該所定の印刷データの印刷の実行をトリガとして、前記ブザーを所定のタイミング及び態様で鳴動させることを特徴とするプリンタシステムの制御方法。
【請求項７】
請求項６に記載のプリンタシステムの制御方法であって、
前記ホスト装置から、前記プリンタに対して、前記印刷制御コマンドの前に前記ブザー設定コマンドを配置したコマンド群を含む一連の印刷指令を送信し、
前記プリンタは、前記印刷制御コマンドに先行して受信した前記コマンド群に前記ブザー設定コマンドが含まれているか否かを判別し、前記ブザー設定コマンドが含まれている場合には、当該ブザー設定コマンドによって指定された前記所定のコマンドを含む設定を記憶保持し、
前記印刷指令に含まれている前記所定のコマンドを検出すると、当該所定のコマンドに基づく処理を実行すると共に、前記ブザー設定コマンドの設定に基づいて前記ブザーを鳴動させることを特徴とするプリンタシステムの制御方法。
【請求項８】
請求項７に記載のプリンタシステムの制御方法であって、
前記印刷指令は、改ページ時の処理を指定する改ページコマンド、および／または、印刷処理の終了後に実行する処理を指定する印刷終了コマンドを含み、
前記ブザー設定コマンドにおいて、前記改ページコマンド、および／または、前記印刷終了コマンドを前記所定のコマンドとして設定することを特徴とするプリンタシステムの制御方法。
【請求項９】
ブザーと、
当該ブザーの鳴動を制御する制御部と、を有し、
前記制御部は、請求項１ないし５のいずれかの項に記載のプリンタの制御方法を実行することを特徴とするプリンタ。
【手続補正２】
【補正対象書類名】明細書
【補正対象項目名】０００９
【補正方法】変更
【補正の内容】
【０００９】
上記課題を解決するために、本発明のプリンタの制御方法は、
ブザー付きのプリンタの制御方法であって、
前記プリンタに所定の印刷をするための印刷制御コマンドと、
前記ブザーの鳴動を設定するためのブザー設定コマンドを受信し、
前記印刷制御コマンドに、前記ブザー設定コマンドで指定された所定のコマンドまたは所定の印刷データがある場合には、当該所定のコマンドの実行または当該所定の印刷データの印刷の実行をトリガとして、前記ブザーを所定のタイミング及び態様で鳴動させることを特徴とする。
【手続補正３】
【補正対象書類名】明細書
【補正対象項目名】００１０
【補正方法】変更
【補正の内容】
【００１０】
また、本発明のプリンタシステムの制御方法は、  ホスト装置から、ブザー付きのプリンタに対して、前記プリンタに所定の印刷をするための印刷制御コマンドを送信すると共に、当該印刷制御コマンドに先行して、前記ブザーの鳴動を設定するためのブザー設定コマンドを送信し、
前記印刷制御コマンドに、前記ブザー設定コマンドで指定された所定のコマンドまたは所定の印刷データがある場合には、当該所定のコマンドの実行または当該所定の印刷データの印刷の実行をトリガとして、前記ブザーを所定のタイミング及び態様で鳴動させることを特徴とする。
【手続補正４】
【補正対象書類名】明細書
【補正対象項目名】００１２
【補正方法】変更
【補正の内容】
【００１２】
本発明のプリンタの制御方法において、前記印刷制御コマンドの前に前記ブザー設定コマンドを配置したコマンド群を含む一連の印刷指令を受信し、
前記印刷制御コマンドに先行して受信した前記コマンド群に前記ブザー設定コマンドが含まれているか否かを判別し、前記ブザー設定コマンドが含まれている場合には、当該ブザー設定コマンドによって指定された前記所定のコマンドを含む設定を記憶保持し、
前記印刷指令に含まれている前記所定のコマンドを検出すると、当該所定のコマンドに基づく処理を実行すると共に、前記ブザー設定コマンドの設定に基づいて前記ブザーを鳴動させるとよい。
【手続補正５】
【補正対象書類名】明細書
【補正対象項目名】００１３
【補正方法】変更
【補正の内容】
【００１３】
また、本発明のプリンタシステムの制御方法において、
前記ホスト装置から、前記プリンタに対して、前記印刷制御コマンドの前に前記ブザー設定コマンドを配置したコマンド群を含む印刷指令を送信し、
前記プリンタは、前記印刷制御コマンドに先行して受信した前記コマンド群に前記ブザー設定コマンドが含まれているか否かを判別し、前記ブザー設定コマンドが含まれている場合には、当該ブザー設定コマンドによって指定された前記所定のコマンドを含む設定を記憶保持し、
前記印刷指令に含まれている前記所定のコマンドを検出すると、当該所定のコマンドに基づく処理を実行すると共に、前記ブザー設定コマンドによって指定されたタイミングおよび態様で前記ブザーを鳴動させるとよい。
【手続補正６】
【補正対象書類名】明細書
【補正対象項目名】００１５
【補正方法】変更
【補正の内容】
【００１５】
本発明のプリンタの制御方法およびプリンタシステムの制御方法において、前記印刷指令は、改ページ時の処理を指定する改ページコマンド、および／または、印刷処理の終了後に実行する処理を指定する印刷終了コマンドを含み、前記ブザー設定コマンドにおいて、前記改ページコマンド、および／または、前記印刷終了コマンドを前記所定のコマンドとして設定するとよい。また、前記印刷指令は、複数の改ページコマンドを含み、前記ブザー設定コマンドにおいて、前記複数の改ページコマンドのうち、一部の改ページコマンドのみを前記所定のコマンドとして指定するとよい。このようにすると、改ページのタイミングや印刷終了のタイミングに合わせてブザーを鳴らすことができる。また、改ページのタイミングでブザーを鳴らすときに、改ページ時に必ずブザーをならすのではなく、鳴らしたいページだけ、例えば、所定ページ毎や最終ページの改ページ時にだけブザーを鳴らすという設定も可能である。
【手続補正７】
【補正対象書類名】明細書
【補正対象項目名】００１６
【補正方法】変更
【補正の内容】
【００１６】
本発明において、前記ブザー設定コマンドにより、前記ブザーの鳴動パターン、音量、周波数のうち少なくとも１つを設定するとよい。このようにすれば、印刷ジョブごとに異なる態様でブザーを鳴動させることができる。